(57)【特許請求の範囲】
【請求項１】
腕時計型の脈拍測定器で装着者の脈拍を測定し、測定した脈拍情報を管理機器に送信する脈拍監視装置において、
前記脈拍測定器は、
前記脈拍測定器が装着者に装着されたか否かを識別する装着センサと、
装着者の脈拍を測定し前記脈拍情報の１つとして脈拍データを出力する脈拍センサと、
前記脈拍情報を、携帯電話回線を通じて予め設定された前記管理機器に送出する、音声通話機能が省略されかつ固有の電話番号を有する第１通信部とを備え、
前記管理機器は、
予め前記電話番号に関連付けされた前記脈拍測定器の装着者毎の脈拍正常値を記憶し、
前記脈拍測定器の初期設定がなされることにより、前記携帯電話回線を通じて前記管理機器と前記第１通信部とで通信がなされ、前記電話番号に対応する装着者の前記脈拍正常値が前記脈拍測定器に記憶されることを特徴とする脈拍監視装置。
【請求項２】
前記脈拍測定器は、前記脈拍データが異常か否かを判定し異常であれば前記脈拍情報の１つとして異常信号を出力する判定部をさらに備え、
前記第１通信部は、前記脈拍情報を前記管理機器に送出する、
ことを特徴とする請求項１に記載の脈拍監視装置。
【請求項３】
前記脈拍測定器が複数設けられ、
前記管理機器は、前記電話番号に関連付けされた前記脈拍測定器の装着者の個人情報を記憶し、前記脈拍情報を受信した際、前記脈拍測定器の装着者の特定を行なうことを特徴とする請求項１又は２に記載の脈拍監視装置。
【請求項４】
前記管理機器は、前記脈拍情報を受信すると前記電話番号毎に予め設定された外部送信先に、前記脈拍測定器の装着者を特定するための前記個人情報又は前記電話番号のうち少なくともどちらかを含む情報、及び前記脈拍情報を送信することを特徴とする請求項３に記載の脈拍監視装置。
【請求項５】
前記脈拍センサによる脈拍の測定は、所定時間測定した後、所定時間測定を休止することを繰り返すことを特徴とする請求項１ないし４のいずれか１項に記載の脈拍監視装置。
【請求項６】
前記管理機器は、前記第１通信部における受信状態から算出された前記脈拍測定器の位置情報を受信し、前記位置情報を前記外部送信先に送信することを特徴とする請求項４ないし５のいずれか１項に記載の脈拍監視装置。
【請求項７】
前記脈拍測定器は、近距離無線通信を行なう第２通信部を備え、前記近距離無線通信ができる環境では前記第２通信部による通信を選択できることを特徴とする請求項１ないし６のいずれか１項に記載の脈拍監視装置。
【発明の詳細な説明】
【技術分野】
【０００１】
本発明は、要介護者等の脈拍を測定し監視することで、要介護者等の健康状態を把握する脈拍監視装置に関する。
【背景技術】
【０００２】
従来、要介護者や患者等の脈拍を測定し、異常時に速やかに対応することができる技術が提案されている。例えば、特開２００１−１９０５０４号公報には、患者等に装着した脈拍感知変換器から送られる脈拍信号を、在宅電話回線と接続した信号発生通報器が受信し、緊急事態に在宅電話回線から救急当局等に通報することができる救急自動通報装置が開示されている。
【０００３】
また、特開２００７−７５４８２号公報には、腕時計型の脈拍測定器において、脈拍数データを携帯電話等に送信することができる旨が記載されている。
【０００４】
また、特開２００２−３６７０６１号公報には、腕時計型の携帯電話機能を備える簡易携帯センサによって、被検者の血圧、脈拍、体温を測定し、これらの値が異常である場合、健康管理センタ等に通報する技術が開示されている。
【先行技術文献】
【特許文献】
【０００５】
【特許文献１】特開２００１−１９０５０４号公報
【特許文献２】特開２００７−７５４８２号公報
【特許文献３】特開２００２−３６７０６１号公報
【発明の概要】
【発明が解決しようとする課題】
【０００６】
しかし、特許文献１に開示されている技術では、同じ建物内に電話回線と接続した信号発生通報器を設置する必要があり、導入コストが増大するとともに、信号発生通報器がない屋外や外出先では使用できないという課題があった。また、当該技術では、脈拍信号の送受信に、いわゆる近距離無線通信が採用されると考えられるが、一般住宅より大きな介護施設等の建物の場合、建物内であっても近距離無線通信の電波が届かないことが多く、係る場合、アクセスポイントを設置することが必須であるという課題もあった。
【０００７】
また、特許文献２に開示されている技術は、脈拍測定器は携帯電話等と通信を行なうのみで、脈拍測定器自体が携帯電話回線を通じて通信を行なうものではない。
【０００８】
また、特許文献３に開示されている技術には、腕時計型の簡易携帯センサに携帯電話機能を備える旨が記載されているが、具体的にどのように携帯電話機能を腕時計型の簡易携帯センサに内蔵させるかの記載は見当たらない。
【０００９】
本発明は、上記の点に鑑みなされたもので、その課題は、腕時計型という小型な機器構成ながら携帯電話回線を用いた通信機能を有し、管理機器に直接脈拍情報を送出することで、電話回線に接続された中継用機器を必要とせず、そのまま設置先や外出先で運用可能な脈拍監視装置を提供することを目的とする。
【課題を解決するための手段】
【００１０】
１  本発明の脈拍監視装置は、
腕時計型の脈拍測定器で装着者の脈拍を測定し、測定した脈拍情報を管理機器に送信する脈拍監視装置において、
前記脈拍測定器は、
前記脈拍測定器が装着者に装着されたか否かを識別する装着センサと、
装着者の脈拍を測定し前記脈拍情報の１つとして脈拍データを出力する脈拍センサと、
前記脈拍情報を、携帯電話回線を通じて予め設定された前記管理機器に送出する、音声通話機能が省略されかつ固有の電話番号を有する第１通信部とを備え、
前記管理機器は、
予め前記電話番号に関連付けされた前記脈拍測定器の装着者毎の脈拍正常値を記憶し、
前記脈拍測定器の初期設定がなされることにより、前記携帯電話回線を通じて前記管理機器と前記第１通信部とで通信がなされ、前記電話番号に対応する装着者の前記脈拍正常値が前記脈拍測定器に記憶されることを特徴とする。
【００１１】
本発明の脈拍監視装置によれば、携帯電話回線を通じて外部に脈拍情報を送出できる第１通信部を備えるため、携帯電話の電波が届く場所であればどこでも運用可能であり、装着したそのときから使用が可能となる。また、第１通信部は携帯電話回線に接続されるが、予め設定された管理機器のみとデータの送受信を行なうもので、音声通話機能が省略され、さらに通信先を選択する操作や選択するための機能も必要ない。これにより、第１通信部の小型化と省電力化を図ることができ、腕時計型の脈拍測定器に内蔵させることができるとともに、装着者による管理機器への接続操作、及び通話等の操作が不要となる。なお、脈拍情報とは、脈拍数等を示す脈拍データと、後述する異常信号のいずれか、又は両方を含む情報を意図する。また、脈拍測定器の初期設定によって、脈拍測定器に装着者の脈拍正常値が記憶されるため、煩わしい初期設定が簡単にでき、高齢者等が使いやすいものとすることができる。
【００１２】
２  本発明の脈拍監視装置の好ましい例は、
前記脈拍測定器は、前記脈拍データが異常か否かを判定し異常であれば前記脈拍情報の１つとして異常信号を出力する判定部をさらに備え、
前記第１通信部は、前記脈拍情報を前記管理機器に送出する、
ことを特徴とする。
【００１３】
本発明の脈拍監視装置の好ましい例によれば、判定部が、脈拍データが異常か否かを判定し異常であれば脈拍情報の１つとして異常信号を出力するため、監視者が要介護者等の脈拍の異常に気付きやすくなる。また、脈拍測定器自体で脈拍の異常を判定することができるため、脈拍の正常時には脈拍情報を送出する必要がなくなる。これにより、第１通信部の稼働時間を少なくすることができ、脈拍測定器の省電力化を図ることができる。
【００１４】
３  本発明の脈拍監視装置の好ましい例は、
前記脈拍測定器が複数設けられ、
前記管理機器は、前記電話番号に関連付けされた前記脈拍測定器の装着者の個人情報を記憶し、前記脈拍情報を受信した際、前記脈拍測定器の装着者の特定を行なうことを特徴とする。
【００１５】
本発明の脈拍監視装置の好ましい例によれば、脈拍情報を送出した脈拍測定器を電話番号により識別し、さらに当該脈拍測定器を装着している装着者を特定することができる。これにより、例えば、介護施設等で複数の要介護者の健康状態を少ない人数で監視することができ、人件費の低減を図ることができる。
【００１６】
４  本発明の脈拍監視装置の好ましい例は、
前記管理機器は、前記脈拍情報を受信すると前記電話番号毎に予め設定された外部送信先に、前記脈拍測定器の装着者を特定するための前記個人情報又は前記電話番号のうち少なくともどちらかを含む情報、及び前記脈拍情報を送信することを特徴とする。
【００１７】
本発明の脈拍監視装置の好ましい例によれば、管理機器は、脈拍情報を受信すると電話番号毎に予め設定された外部送信先に、前記脈拍測定器の装着者を特定するための前記個人情報又は前記電話番号のうち少なくともどちらかを含む情報、及び脈拍情報を送信することができるため、例えば、複数の介護施設又は複数のフロア等を１つの管理機器で管理し、脈拍情報を受信したときは、当該脈拍情報を送出した脈拍測定器の装着者の入居する介護施設又はフロアに、脈拍情報と脈拍測定器の装着者を特定するための情報を送信することができ、運用コストのさらなる低減を図ることができる。また、任意の外部送信先に個別に送信することで、さらなる柔軟な運用も可能となり、在宅介護等においては、送信先を脈拍測定器の装着者の近親者等とすることもできる。
【００１８】
５  本発明の脈拍監視装置の好ましい例は、
前記脈拍センサによる脈拍の測定は、所定時間測定した後、所定時間測定を休止することを繰り返すことを特徴とする。
【００１９】
本発明の脈拍監視装置の好ましい例によれば、脈拍の測定を間欠して行なうため、脈拍の測定をしない時間は、脈拍センサへの通電を止めることで消費電力の低減を図ることができ、バッテリの持続時間の延長や小型化を図ることができる。
【００２０】
６  本発明の脈拍監視装置の好ましい例は、
前記管理機器は、前記第１通信部における受信状態から算出された前記脈拍測定器の位置情報を受信し、前記位置情報を前記外部送信先に送信することを特徴とする。
【００２１】
本発明の脈拍監視装置の好ましい例によれば、第１通信部が受信する携帯電話回線の基地局からの電波や、ＧＰＳ（Ｇｌｏｂａｌ  Ｐｏｓｉｔｉｏｎｉｎｇ  Ｓｙｓｔｅｍ）から受信する電波によって脈拍測定器の装着者の位置を特定でき、外部送信先に送信できるため、脈拍測定器の装着者が外出しているとき等に異常信号を受信した際、速やかに対応することができる。
【００２２】
７  本発明の脈拍監視装置の好ましい例は、
前記脈拍測定器は、近距離無線通信を行なう第２通信部を備え、前記近距離無線通信ができる環境では前記第２通信部による通信を選択できることを特徴とする。
【００２３】
本発明の脈拍監視装置の好ましい例によれば、第２通信部によって近距離無線通信を利用することができるため、通信費の節約を図ることができ、運用コストを低減させることができる。なお、ここで近距離無線通信とは、１０メートルから１００メートル程度の範囲の通信ができる、無線ＰＡＮ（Ｐｅｒｓｏｎａｌ  Ａｒｅａ  Ｎｅｔｗｏｒｋ）や、無線ＬＡＮ（Ｌｏｃａｌ  Ａｒｅａ  Ｎｅｔｗｏｒｋ）等を意図する。
【発明の効果】
【００２４】
以上説明したように、本発明の脈拍監視装置によれば、腕時計型という小型な機器構成ながら携帯電話回線を用いた通信機能を有し、管理機器に直接脈拍情報を送出することで、電話回線に接続された中継用機器を必要とせず、そのまま外出先や設置先で運用可能とすることができる。これにより、使用場所で中継用機器の設置工事等が不要となり、設置コストの低減を図ることができ、さらに、中継用機器との接続の設定、管理機器を選択し接続する操作、及び通話等の操作も不要となるため、高齢者等にも使いやすい装置とすることができる。
【図面の簡単な説明】
【００２５】
【図１】本発明の一実施形態に係る脈拍監視装置の構成を説明するブロック図である。
【図２】脈拍測定器の斜視図である。
【図３】図２に示す脈拍測定器の本体部のＡ−Ａ線断面図と、底面図である。
【図４】脈拍測定器の構成を説明するブロック図である。
【図５】脈拍測定器の初期設定の動作を説明するフロー図である。
【図６】脈拍測定器の脈拍を測定する動作を説明するフロー図である。
【図７】異常信号を受信したときの管理機器の動作を説明するフロー図である。
【発明を実施するための形態】
【００２６】
以下、本発明の脈拍監視装置の実施の形態について、添付図面を参照して詳細に説明する。図１は本発明の好適な一実施形態に係る脈拍監視装置１の構成を説明するブロック図、図２は脈拍測定器１０の斜視図、図３（Ａ）は図２のベルト２７を省略した本体部１１のＡ−Ａ線断面図、図３（Ｂ）は本体部１１の底面図、図４は脈拍測定器１０（１０ａ〜１０ｄ）の構成を説明するブロック図である。
【００２７】
図１に示すように、本実施形態の脈拍監視装置１は、脈拍測定器１０ａ〜１０ｄと、管理機器３０と、外部送信先として介護施設端末４０と近親者携帯端末４１を備える。また、脈拍測定器１０ａ〜１０ｄと管理機器３０とは、携帯電話回線５０によって接続されており、管理機器３０と外部送信先４０，４１とは、携帯電話回線５０、又は携帯電話回線を除くＩＳＤＮ（Ｉｎｔｅｇｒａｔｅｄ  Ｓｅｒｖｉｃｅｓ  Ｄｉｇｉｔａｌ  Ｎｅｔｗｏｒｋ)回線、ＡＤＳＬ(Ａｓｙｍｍｅｔｒｉｃ  Ｄｉｇｉｔａｌ  Ｓｕｂｓｃｒｉｂｅｒ)回線、光回線、ケーブルテレビ回線等の電気通信回線５１によって接続されている。
【００２８】
図２にも示すように、脈拍測定器１０は腕時計型の形態をなし、本体部１１とベルト２７とを備える。本体部１１は、図３（Ａ）（Ｂ）、図４にも示すように、筐体１４と、制御部１５と、装着センサ１７と、脈拍センサ１９と、判定部１６と、第１通信部２１と、第２通信部２２と、表示部２３と、バッテリ２４と、充電端子２５と、操作スイッチ２６とを備える。なお、図２のＡ−Ａ線の位置をわかりやすくするため、図３（Ｂ）の対応する位置にもＡ−Ａ線を記載している。
【００２９】
筐体１４は、金属又は硬質合成樹脂等からなり、その表側には表示部２３に表示された情報を確認するための透明窓１２ａが設けられる。また、本体部１１の底面には、装着センサ１７が突出されるとともに、脈拍センサ１９からの光を透過させるための透明窓１２ｂが設けられ、さらに、図示しない充電器の充電ピンを挿入するための充電孔１３が設けられる。また、本体部１１の側面には、操作スイッチ２６が設けられる。
【００３０】
制御部１５は、ＣＰＵ、メモリ等が実装された基板からなるもので、メモリに予め格納されたプログラムに基づき、ＣＰＵが単独で、又は他の構成要素と協動して脈拍測定器１０の動作に必要な処理を行なう。また、メモリは、脈拍測定器１０の動作において発生した脈拍データや、後述する初期設定によって管理機器３０から送信される装着者固有のデータ等の各種データも記憶する。
【００３１】
装着センサ１７は、本体部１１の底面から突出された４本の金属ピン１８を有するもので、これらの金属ピン１８が人体に接触することで生じる静電容量の変化を検出し、脈拍測定器１０が装着者の腕に装着されているか否かを判断する。
【００３２】
脈拍センサ１９は、本体部１１の底面の透明窓１２ｂの内側に設けられるもので、図示しない発光部と受光部とを備え、発光部より出力された光が、血液の脈動によって変化しながら反射する反射光を受光部でとらえる。そして、その反射光の変化を増幅し脈拍数として測定し、制御部１５と協動して脈拍情報の１つである脈拍数等の脈拍データを生成する。
【００３３】
判定部１６は、制御部１５のＣＰＵと、メモリに格納されたプログラムから実現されるもので、脈拍センサ１９により測定された脈拍データが、メモリに記憶された脈拍測定器の装着者の、脈拍正常値の範囲に入っているか否かを判定する。そして、脈拍データが脈拍正常値から逸脱した場合、脈拍の異常があると判定し脈拍情報の１つである異常信号を出力する。
【００３４】
第１通信部２１は、携帯電話回線５０に接続される通信機器、及びＧＰＳ受信機が備えられたモジュールである。第１通信部２１は、携帯電話回線５０によって管理機器３０とデータ通信を行なうとともに、携帯電話基地局から受信した電波又はＧＰＳから受信した電波によって、脈拍測定器１０の現在位置を算出する。本実施形態に用いられる脈拍測定器１０では、第１通信部２１は制御部１５の上面に設けられ、脈拍データと異常信号を含む脈拍情報、及び必要に応じて位置情報を外部の管理機器３０に送出する。また、第１通信部２１には、図示しないアンテナが接続され、このアンテナは筐体１４の側面の内側壁面に沿って配置される。
【００３５】
なお、この第１通信部２１は、制御部１５のメモリに格納されたプログラムによって、予め定められた管理機器３０のみとのデータ通信が可能となっている。このため、音声通話機能は省略され、さらに、装着者によって通信先を選択する機能も省略され、小型化が図られている。また、第１通信部２１による現在位置の測定は、電力の消費量の増加を招くため、介護施設等に入居している等の外出する可能性がない装着者の場合は、現在位置の測定を行なわないように設定することもできる。また、第１通信部２１は、携帯電話回線５０に接続されるため、第１通信部２１にはそれぞれ固有の電話番号が設定されている。
【００３６】
なお、脈拍測定器１０には、それぞれの脈拍測定器１０ａ〜１０ｄを識別するためのＩＤが付されるが、初期状態又は第１通信部２１のみで管理機器３０と通信を行なうときは、上記の電話番号をＩＤとすることができる。
【００３７】
第２通信部２２は、無線ＰＡＮや、無線ＬＡＮによる近距離無線通信用のモジュールであり、本実施形態に用いられる脈拍測定器１０では、制御部１５の下面に設けられ、Ｂｌｕｅｔｏｏｔｈ（登録商標）による通信を実現させている。そして、第２通信部２２によって介護施設等の内部に設けられたアクセスポイント４２（図１参照）に接続され、さらにアクセスポイント４２が接続された端末（介護施設端末４０、モバイルルーター等）の設定により管理機器３０に接続される。なお、本実施形態に用いられる脈拍測定器１０（１０ａ〜１０ｄ）では、第２通信部２２による通信が可能なときは、初期状態を除き、第１通信部２１より第２通信部２２による通信を優先させている。
【００３８】
なお、第２通信部２２によって管理機器３０と通信を行なうときは、第１通信部２１に設定された電話番号が管理機器３０に通知されない。そのため、後述する初期設定により、複数桁の英数字等からなる他のＩＤを管理機器３０から脈拍測定器１０ａ〜１０ｄに送信し、送信されたＩＤ（英数字）を脈拍測定器１０ａ〜１０ｄのメモリに記憶させる。そして、第２通信部２２から脈拍情報等を管理機器３０に送信するときは、当該ＩＤ（英数字）を管理機器３０に送信することで、脈拍測定器１０ａ〜１０ｄの識別を行なう。
【００３９】
表示部２３は、液晶パネル等から構成され、測定された脈拍数等の脈拍測定器１０の状態、管理機器３０との通信状態、又は脈拍測定器１０の装着者固有の個人情報等を表示する。
【００４０】
バッテリ２４は、脈拍測定器１０の動作に必要な電力を供給するもので、制御部１５の下面に設けられている。このバッテリ２４としては、公知のリチウムイオン電池等が採用される。
【００４１】
充電端子２５は、本体部１１の底面に設けられた一対の充電孔１３の奥に設けられ、図示しない充電器の充電ピンが挿入され、充電端子２５に接触することで、バッテリ２４の充電が行なわれる。
【００４２】
操作スイッチ２６は、本体部１１の側面に設けられた、竜頭型の押しボタンスイッチであり、脈拍測定器１０の電源のオンオフ、初期設定の操作等に用いられる。本実施形態に用いられる脈拍測定器１０では、操作スイッチ２６は１つのみ設けられており、例えば、操作スイッチ２６を一瞬押すことで電源のオンオフ、３秒間長押しすることで初期設定の開始等の動作がなされる。
【００４３】
ベルト２７は、脈拍測定器１０を装着者の腕に装着するためのもので、公知の腕時計用ベルトが採用できる。また、ベルト２７には、図示しない留め具が適宜設けられる。
【００４４】
図１に戻り、管理機器３０は、本実施形態の脈拍監視装置１を運営する運営者が管理するものであり、公知のパーソナルコンピュータやサーバ等が用いられる。そして、管理機器３０と脈拍測定器１０ａ〜１０ｄとは携帯電話回線５０、又はアクセスポイント４２を経由した電気通信回線５１によって接続されている。また、管理機器３０は、外部送信先ともデータの送受信を行なうため、携帯電話回線５０以外の電気通信回線５１にも接続され得る。
【００４５】
また、管理機器３０は、その内部に記憶部３１を備え、複数の脈拍測定器１０ａ〜１０ｄのそれぞれのＩＤに関連付けられた、装着者の個人情報、脈拍正常値、外部送信先等が記憶される。この個人情報としては、装着者の氏名、所在地、緊急連絡先等があり、脈拍正常値としては、例えば、ある装着者は１分間に６０〜８０回、また、他のある装着者は１分間に５５〜７５回等である。
【００４６】
また、管理機器３０は、脈拍測定器１０ａ〜１０ｄからの脈拍情報を受信したときは、その脈拍測定器１０ａ〜１０ｄのＩＤ毎に設定されている外部送信先（介護施設端末４０、近親者携帯端末４１等。）に、脈拍測定器の装着者を特定するための個人情報又はＩＤのうち少なくともどちらかを含む情報と脈拍情報、及び必要に応じて位置情報を送信することができる。これにより、脈拍が異常と判定された脈拍測定器１０ａ〜１０ｄの装着者を介護する者に、当該装着者の脈拍が異常である旨と、必要な場合は装着者の位置を速やかに知らせることができる。
【００４７】
外部送信先としては、脈拍測定器１０ａ〜１０ｄを装着した装着者の脈拍が異常となったとき、その対処をする者が該当し、例えば、装着者が介護施設等に入居しているときは当該介護施設等に設置してある介護施設端末４０等であり、在宅介護となっているときは介護をしている近親者等が所有する近親者携帯端末４１等である。本実施形態では、これらのうち、介護施設端末４０と管理機器３０とは、携帯電話回線以外の電気通信回線５１によって接続され、近親者携帯端末４１と管理機器３０とは携帯電話回線５０によって接続されている。そして、上述のように外部送信先は、管理機器３０から脈拍測定器の装着者を特定するための個人情報又はＩＤのうち少なくともどちらかを含む情報と脈拍情報、及び必要に応じて位置情報を受信する。
【００４８】
次に、以上説明した各構成要素の機能を踏まえて、本実施形態の脈拍監視装置１の動作について、図１及び図５〜図７を参照して説明する。図５は脈拍測定器１０ａ〜１０ｄの初期設定の動作を説明するフロー図、図６は脈拍測定器１０ａ〜１０ｄの脈拍を測定する動作を説明するフロー図、図７は異常信号を受信したときの管理機器３０の動作を説明するフロー図である。
【００４９】
先ず、図１及び図５を参照して、脈拍測定器１０ａ〜１０ｄの初期設定の動作を説明する。脈拍測定器１０ａ〜１０ｄの電源オフの状態（Ｓ１０００）から、操作スイッチ２６を押して、電源オンの状態にする（Ｓ１０１０）。次に、操作スイッチ２６を３秒間長押しして、初期設定を開始する（Ｓ１０２０）。このとき、脈拍測定器１０ａ〜１０ｄは、制御部１５のメモリに格納されたプログラムとＣＰＵに制御された第１通信部２１によって、携帯電話回線５０を通じて予め定められた管理機器３０に接続される（Ｓ１０３０）。そして、接続されると、脈拍測定器１０ａ〜１０ｄを識別するためのＩＤである脈拍測定器１０ａ〜１０ｄの電話番号が管理機器３０に送信される（Ｓ１０４０）。
【００５０】
次に、管理機器３０では、記憶部３０から、受信したＩＤ（電話番号）を基に当該脈拍測定器１０ａ〜１０ｄを装着する装着者に関するＩＤ（英数字）、個人情報、脈拍正常値を記憶部３１から抽出し、携帯電話回線５０を通じて脈拍測定器１０ａ〜１０ｄに送信する（Ｓ１０５０）。なお、ここで送信する個人情報は、脈拍測定器１０ａ〜１０ｄを使用する現場において、本来の装着者以外に脈拍測定器１０ａ〜１０ｄが装着されるのを防止するためであり、全ての個人情報を送る必要はなく、装着者の氏名のみでもよい。また、在宅介護等において、装着者が一人しかおらず誤って他人の脈拍測定器を装着する恐れがない場合は、個人情報の送信を省略してもよい。さらに、脈拍測定器１０ａ〜１０ｄにおいて第２通信部２２を備えない構成とするときは、ＩＤ（英数字）の送信も省略することができる。
【００５１】
次に、脈拍測定器１０ａ〜１０ｄにて、管理機器３０から送信されたＩＤ（英数字）、個人情報、脈拍正常値を受信し、制御部１５のメモリに記憶させ（Ｓ１０６０）、初期設定の動作は終了する（Ｓ１０７０）。
【００５２】
次に、図１及び図６を参照して、脈拍測定器１０ａ〜１０ｄによる脈拍の測定と、脈拍測定器１０ａ〜１０ｄから管理機器３０への、脈拍情報の送信の動作を説明する。脈拍測定器１０ａ〜１０ｄが電源オンの状態（Ｓ２０００）で装着者の腕に装着されると、脈拍測定器１０ａ〜１０ｄの装着センサ１７によって、脈拍測定器１０ａ〜１０ｄが装着者に装着されているか否かが判断される（Ｓ２０１０）。ここで、装着されていないと判断されれば、当該処理を繰り返す。なお、この破線で囲ってあるステップＳ２０１０の処理は、所定の間隔で割り込み処理を実行し、脈拍測定器１０ａ〜１０ｄが正しく装着者に装着されているかを適宜判断する。仮に、脈拍測定器１０ａ〜１０ｄが装着者から外されたと判断された場合、その旨を管理機器３０に送信することもできる。一方、脈拍測定器１０ａ〜１０ｄが装着者に装着されていると判断されれば、制御部１５は脈拍センサ１９に電力を供給し、脈拍の測定を開始する（Ｓ２０２０）。
【００５３】
次に、測定開始から１０秒経過したか否かが判断される（Ｓ２０３０）。１０秒経過していないときは、ステップＳ２０２０とステップＳ２０３０の処理を繰り返す。一方、１０秒経過した場合、測定された脈拍データとメモリに記憶された脈拍正常値とが判定部１６によって比較され、測定された脈拍データが脈拍正常値から逸脱しているか否かが判断される(Ｓ２０４０)。ここで、測定された脈拍数が脈拍正常値の範囲に入っていれば、脈拍は正常と判定され、脈拍センサ１９への電力供給が停止され測定が休止される（Ｓ２０５０）。
【００５４】
次に、脈拍センサ１９への電力供給が停止されてから１分が経過したか否かが判断される（Ｓ２０６０）。ここで、１分経過していなければ、ステップＳ２０５０とステップＳ２０６０の処理を繰り返す。一方、脈拍センサ１９への電力供給が停止されてから１分経過した場合、ステップＳ２０２０に戻り上述の処理を繰り返す。なお、この脈拍センサ１９に通電させる時間と、通電を停止させる時間の設定はこの例に限られず、適宜変更することができる。
【００５５】
また、ステップＳ２０４０で、計測された脈拍データが脈拍正常値の範囲から逸脱していた場合、判定部１６は脈拍が異常と判定し、異常信号を出力する（Ｓ２０７０）。次に、第１通信部２１によって携帯電話回線５０を通じて、又は第２通信部２２によってアクセスポイント４２を経由して、脈拍測定器１０ａ〜１０ｄが管理機器３０に接続される（Ｓ２０８０）。次に、第１通信部２１又は第２通信部２２より、脈拍測定器１０ａ〜１０ｄを識別するためのＩＤ、脈拍データや異常信号を含む脈拍情報、及び必要に応じて現在位置の情報を管理機器３０に送出し（Ｓ２０９０）、処理は終了される（Ｓ２１００）。なお、ステップＳ２１００で処理が終了された後、脈拍測定器１０ａ〜１０ｄは、所定の間隔を経て上述のステップＳ２０００からの処理を繰り返す。
【００５６】
また、ステップＳ２０８０とステップＳ２０９０の処理においては、既に述べたように脈拍測定器１０ａ〜１０ｄは、第１通信部２１によって携帯電話回線５０を通じて管理機器３０に接続することができ、また、第２通信部２２によってアクセスポイント４２を経由して、管理機器３０に接続することもできる。前者の場合、第１通信部２１に割り当てられた電話番号が、自動的に管理機器３０に送信されるため、脈拍測定器１０ａ〜１０ｄを識別するためのＩＤとしては、電話番号を使用することができる。一方、後者の場合は電話番号が通知されないため、脈拍測定器１０ａ〜１０ｃを識別するためのＩＤとしては、英数字等からなる他のＩＤを送信する必要がある。また、後者では、脈拍測定器１０ａ〜１０ｃからアクセスポイント４２を経由して一旦介護施設端末４０に脈拍情報等を送信しているが、この場合、介護施設端末４０自体を管理機器３０とし、外部送信先を省略する構成とすることもできる。
【００５７】
次に、図１及び図７を参照して、管理機器３０から、脈拍測定器１０ａ〜１０ｄのＩＤ毎に予め定められた外部送信先（介護施設端末４０、近親者携帯端末４１。）に、脈拍測定器１０ａ〜１０ｄの装着者を特定するための個人情報又はＩＤのうち少なくともどちらかを含む情報、脈拍情報等を送信する動作を説明する。管理機器３０は、処理が開始されると（Ｓ３０００）携帯電話回線５０等の電気通信回線に接続され、脈拍測定器１０ａ〜１０ｄとの通信が可能となる。次に、管理機器３０は、脈拍測定器１０ａ〜１０ｄからＩＤ、異常信号を含む脈拍情報、及び必要に応じて位置情報を受信したか否かを判断する（Ｓ３０１０）。ここで、脈拍情報等を受信していなければ、この受信の判断の処理を繰り返す。一方、ＩＤ、異常信号を含む脈拍情報、及び必要に応じて位置情報を受信した場合、受信した脈拍測定器１０ａ〜１０ｄのＩＤから、どの脈拍測定器１０ａ〜１０ｄかを特定し、当該脈拍測定器１０ａ〜１０ｄを装着している装着者の個人情報と、装着者の脈拍が異常である旨を知らせる介護施設端末４０や近親者携帯端末４１等の外部送信先を特定する(Ｓ３０２０)。
【００５８】
次に、管理機器３０は、特定した介護施設端末４０や近親者携帯端末４１等の外部送信先に、脈拍測定器１０ａ〜１０ｄの装着者を特定するための個人情報又はＩＤのうち少なくともどちらかを含む情報、及び脈拍数等の脈拍情報、並びに必要に応じて脈拍測定器１０ａ〜１０ｄの位置情報を送信し（Ｓ３０３０）、処理は終了する（Ｓ３０４０）。なお、処理が終了しても、所定の間隔を経て、ステップＳ３０００からの処理が繰り返し実行される。また、上述の処理においては、脈拍測定器１０ａ〜１０ｄからの異常信号を受信したときのみ、外部送信先にその旨を送信しているが、異常信号の有無に関わらず、常に脈拍データを外部送信先に送信するようにしてもよい。
【００５９】
そして、装着者の個人情報又はＩＤのうち少なくともいずれか、及び脈拍数等の脈拍情報、並びに必要に応じて脈拍測定器１０ａ〜１０ｄの位置情報を受信した外部送信先は、例えば、介護施設等の介護施設端末４０であれば、受信した個人情報又はＩＤから、装着者の特定を行ない、職員が必要な処置をおこなう。また、近親者携帯端末４１であれば、装着者に対して近親者が必要な処置を行なう。
【００６０】
以上、説明したように本実施形態の脈拍監視装置によれば、腕時計型という小型な機器構成ながら携帯電話回線を通じて通信できる第１通信部を備え、当該第１通信部から管理機器へ直接に異常信号を含む脈拍情報を送出することができるため、設置したときからすぐに使用でき、電話回線に接続された中継機器等の工事が不要となり、使いやすさと導入コストに優れた脈拍監視装置とすることができる。また、設置も、例えば、第２通信部を使用しないような上記の在宅介護等では、管理機器の管理者に脈拍正常値等の申請をして、要介護者への脈拍測定器の装着と、近親者携帯端末に外部送信先用ソフトウエアをダウンロードすることで可能となり、導入が非常に簡単である。また、第１通信部は、予め定められた管理機器のみとデータの送受信を行なうよう設定されており、接続相手先を選択する機能や音声通話機能が省かれている。これにより、小型化と省電力化、及びさらなる操作の簡便化を図ることができる。
【００６１】
また、脈拍センサは、１０秒間脈拍を測定した後は、１分間測定を休止する設定となっている。このため、測定を休止する間は、脈拍センサに通電させる必要がなく、バッテリを長持ちさせることができる。
【００６２】
また、近距離無線通信を行なう第２通信部を備えるため、アクセスポイントが近隣にある環境では、管理機器との通信に近距離無線通信を用いることができ、通信費の節約を図ることができる。
【００６３】
また、脈拍の異常を知らせる異常信号を含む脈拍情報を送信する外部送信先を任意に設定できるため、複数棟あるような大規模な介護施設から、在宅介護まで、幅広く対応させることができる。また、ある程度以上の規模の介護施設等においては、外部送信先を省略し、介護施設内に管理機器を設置することもできる。
【００６４】
なお、上述の脈拍監視装置は、本発明の例示であり、発明の趣旨を逸脱しない範囲においてその構成を適宜変更することができる。
【符号の説明】
【００６５】
１・・脈拍監視装置、
１０，１０ａ，１０ｂ，１０ｃ，１０ｄ・・脈拍測定器、１１・・本体部、１２ａ，１２ｂ・・透明窓、１３・・充電孔、１４・・筐体、１５・・制御部、１６・・判定部、１７・・装着センサ、１８・・金属ピン、１９・・脈拍センサ、２１・・第１通信部、２２・・第２通信部、２３・・表示部、２４・・バッテリ、２５・・充電端子、２６・・操作スイッチ、２７・・ベルト、
３０・・管理機器、３１・・記憶部、
４０・・介護施設端末（外部送信先）、４１・・近親者携帯端末（外部送信先）、４２・・アクセスポイント、
５０・・携帯電話回線、５１・・電気通信回線（携帯電話回線除く）、
【図１】
0005972407.tif 000002
【図２】
0005972407.tif 000003
【図３】
0005972407.tif 000004
【図４】
0005972407.tif 000005
【図５】
0005972407.tif 000006
【図６】
0005972407.tif 000007
【図７】
0005972407.tif 000008